(57)【要約】【課題】  プラウ作業機におけるコールタ、ジョインタなどのアタッチメントの集約的配置により、緑肥、雑草根のボトム前方放擲および、茎葉残渣物飛散防止の各アタッチメント機能を高め、調整簡便化を為し、その結果プラウ作業機における全長が短縮化され、作業上の正確性、リフト時などで代表される姿勢の安定化を向上した作業機を提供することを目的とする。【解決手段】  フロッグにシェア、モールドボード、ランドサイドなどを取付けて構成したプラウ用ボトムにおいて、シェアのシェアポイント部分および、シェア側面に一体的に形成した起立片を備え、前記起立片はシェア刃縁を含む水平面に対して垂直で、かつ、作業進行方向を含む垂直面に沿っていて、前縁は刃縁になって、その高さは耕起能力に対応し、前記起立片の後方部にはアタッチメントのジョインタ脱着部があり、必要によってはジョインタの後方部にはカバーボードが取付けられていて、または、前記起立片とジョインタを一体的に構成にしたことを特徴とするものである。【選択図】  図１
2006042692.tif 000002
【特許請求の範囲】
【請求項１】
フロッグにシェア、モールドボード、ランドサイドなどを取付けて構成したプラウ作業機用ボトムにおいて、下端部がシェアのシェアポイント部分およびシェア側面に一体的に起立状態の起立片を備え、前記起立片はボトム機能発展部材の取付け機能をもたせジョインタや、コールタの機能を果たす構成であることを特徴とする前犂用起立片を備えるボトム。
【請求項２】
フロッグにシェア、モールドボード、ランドサイドなどを取付けて構成したプラウ作業機用ボトムにおいて、下端部がシェアのシェアポイント部分およびシェア側面に一体的に起立状態の起立片を備え、前記起立片にはジョインタの一端部が取付け位置を上下方向に調節自在に取付けられた構成であることを特徴とする請求項１記載の前犂用起立片を備えるボトム。
【請求項３】
フロッグにシェア、モールドボード、ランドサイドなどを取付けて構成したプラウ作業機用ボトムにおいて、下端部がシェアのシェアポイント部分およびシェア側面に一体的に起立状態の起立片を備え、前記起立片に取付けられたジョインタに一端部が取付け位置を作業進行方向に前後する調整自在に取付けられた構成であることを特徴とする請求項１、請求項２記載の前犂用起立片を備えるボトム。
【請求項４】
フロッグにシェア、モールドボード、ランドサイドなどを取付けて構成したプラウ作業機用ボトムにおいて、下端部がシェアのシェアポイント部分およびシェア側面に一体的に起立状態の起立片を備え、前記起立片はシェアの刃縁を含む水平面に対して垂直で、かつ、作業進行方向を含む垂直面に沿っていて、その前縁は刃縁になって、高さは耕起能力に対応したものである構成したにことを特徴とする前犂用起立片を備えるボトム。
【請求項５】
フロッグにシェア、モールドボード、ランドサイドなどを取付けて構成したプラウ作業機用ボトムにおいて、下端部がシェアのシェアポイント部分およびシェア側面に一体的に起立状態の起立片を備え、前記起立片はシェアの刃縁を含む水平面に対して垂直であることを特徴とする請求項１ないし請求項４記載の前犂用起立片を備えるボトム。
【請求項６】
フロッグにシェア、モールドボード、ランドサイドなどを取付けて構成したプラウ作業機用ボトムにおいて、下端部がシェアのシェアポイント部分およびシェア側面に一体的に起立状態の起立片を備え、前記起立片はシェアの刃縁を含む水平面に対して垂直であり、ランドサイド先頭部材と一体的であることを特徴とする請求項１ないし請求項５のいずれかに記載の前犂用起立片を備えるボトム。
【請求項７】
フロッグにシェア、モールドボード、ランドサイドなどを取付けて構成したプラウ作業機用ボトムにおいて、下端部がシェアのシェアポイント部分およびシェア側面に一体的に起立状態の起立片を備え、前記起立片はシェアの刃縁を含む水平面に対して垂直であり、その下端部が直角に曲げられて形成された取付け部をもち、前記取付け部が前記シェアと前記フロッグに挟まれて取付けられた構成であることを特徴とする請求項１ないし請求項６のいずれかに記載の前犂用起立片を備えるボトム。
【請求項８】
フロッグにシェア、モールドボード、ランドサイドなどを取付けて構成したプラウ作業機用ボトムにおいて、下端部がシェアのシェアポイント部分およびシェア側面に一体的に起立状態の起立片を備え、前記起立片はこれと直角に曲げられて形成された取付け部をもち、前記取付け部が前記シェアと前記フロッグに挟まれて取付けられているとともに、ランドサイド先頭部材と一体的な構成であることを特徴とする請求項１ないし請求項７のいずれかに記載の前犂用起立片を備えるボトム。
【請求項９】
フロッグにシェア、モールドボード、ランドサイドなどを取付けて構成したプラウ作業機用ボトムにおいて、下端部がシェアのシェアポイント部分およびシェア側面に一体的に起立状態の起立片を備え、前記起立片の後縁にはジョインタの端縁が一体的に形成されている構成であることを特徴とする請求項１ないし請求項８のいずれかに記載の前犂用起立片を備えるボトム。
【発明の詳細な説明】
【技術分野】
【０００１】
本発明は、前犂用起立片を備えるボトムに関し、とくに、前犂用起立片がボトム機能を拡大する能力を備えるボトムに関する。
【背景技術】
【０００２】
従来知られているプラウ作業機（以下、作業機と略称する）は、ボトムを一つないしそれ以上装備して構成されたもので、作物の生育に適した環境を形成するとともに、圃場の景観を整え、作物の根圏域を拡大して土地の生産性を向上し、さらには、土地から収奪した栄養分である有機質物を土中に還元することで肥沃な土質を保持することなどを目的に使用されている。
さらに、プラウ作業における作業性と、土中の環境を整えるために、作業機には数々のアタッチメントと云われる機能拡大機器が装備され、使用されている。
【０００３】
そこで、以下、作業機に使用されている各種アタッチメントについて説明する。
１、  土壌、地表面の残渣物や、植生の根を垂直方向に切断して、作業時の牽引抵抗をすくなくし、形の整ったれき溝を形成するために、作業機のフレームに取付けたディスクコールタが使用され、耕深上下、耕幅左右の調整機構を備えている。
２、  ディスクコールタの後方位置にあって、ボトムに先行して緑肥、雑草などの根を斜め切断し、３次元曲面板でボトムの反転前方に放擲させるジョインタが使用され、このジョインタは作業機のフレームに取付けられ、ディスクコールタ同様に耕深上下、耕幅左右方向に調整機構を備えている。
３、  地表面に浮いている茎稈残渣物を飛散させることなく、ボトムのれき土反転前方に落下させるカバーボードが使用され、このカバーボードはモールドボードの上部に取り付けられ、取付け先端部を支点に後部が上下に、および後部が前後調整機構を備えている。
これらは、土中の環境を整えるボトムの機能をさらに満足させるために、浅耕、深耕の度にそれぞれ単独に上下方向に緑肥作物別、雑草等圃場条件に合わせる耕幅左右方向等に作業位置を調節できるようになっている。
言い換えると、浅耕、深耕の度にそれぞれの上下方向の位置を調節する必要がある。
【０００４】
以上説明したボトムを備える作業機の説明図が図１６に示されていて、これによれば、トラクタＴに作業機が３点ヒッチ機構により装着されている。そして、その作業機は作業進行方向の先頭から順にディスクコールタ１、ジョインタ２、カバーボード３、ボトム２０の配列になっている。
言い換えると、ボトム２０とトラクタＴとの間にディスクコールタ１、ジョインタ２、カバーボード３を装備するための空間が必要になる。
この空間を確保するために作業機全体の長さ寸法が大きくなり、多連型の作業機にあっては、その長さがさらに拡大され、牽引抵抗が増大する傾向にあり、作業上の安定性欠如の原因になり兼ねない。
なお、詳しい説明は、本発明の実施態様の項目において、両者を比較しながらその説明を行うことにする。
以上の説明に関連して、本出願人により提案されているものを先行例文献として挙げる。
この文献では、上方起立部４ａに透孔８が穿けられていて、この透孔８を利用して何らかの他の部品を取付けることでボトムとしての機能拡大を試みている。
これはシェアの強度アップによる耐久性の向上のほか、必要部品を取付けや易くするための工夫が披瀝されている。
【特許文献１】特公昭５８−４９２０２号公報
【発明の開示】
【発明が解決しようとする課題】
【０００５】
作業機におけるボトムの主たる目的は、土の中に太陽、空気、微生物の餌を蓄え、さらに、疲労した作土を下層に移して休息させ、休息を終えた下層の土を再び上層部に返し、いわゆる天地返し耕法であり、その効果をより高めるために、コールタ、ジョインタ、カバーボードなどのアタッチメントを備え、露出しやすい緑肥作物、雑草、茎葉の残渣物を下層部へ鋤き込むものである。
【０００６】
本発明は、ボトム先端部に備える起立片にコールタ、ジョインタ、カバーボードの機能を合わせもたせた集約的ボトムにより、天地返し耕によるれき土放擲前に一箇所で、しかも、最先端位置で処理を終了することができることは、使用の簡便性、また作業機能が高度であり、その結果、作業機全長を短縮化でき、牽引抵抗の減少、軽量化、シンプル化を図るのである。
【課題を解決するための手段】
【０００７】
本発明は、フロッグにシェア、モールドボード、ランドサイドなどを取付けて構成したプラウ作業機用ボトムにおいて、下端部がシェアのシェアポイント部分およびシェア側面に一体的およびシェアの側面に起立状態の起立片を備え、前記起立片はコールタや、これに取付けたジョインタにより従来に変わらない機能を果たすとともに、ボトム機能発展部材の取付け機能をもたせた構成であることを特徴とするものである。
これにより、アタッチメントとしてのジョインタや、カバーボードの取付け空間を特別に形成する必要がなくなる。
【０００８】
また、本発明は、フロッグにシェア、モールドボード、ランドサイドなどを取付けて構成したプラウ作業機用ボトムにおいて、起立片の下端部がシェアのシェアポイント部分およびシェア側面に一体的に起立状態で備えられていて、前記起立片にはジョインタの一端部が取付け位置を上下方向に調節自在に取付けられた構成であることを特徴とするものである。これにより、作業深に応じてジョインタの最適位置の選択ができる。
【０００９】
また、本発明は、フロッグにシェア、モールドボード、ランドサイドなどを取付けて構成したプラウ作業機用ボトムにおいて、起立片の下端部がシェアのシェアポイント部分およびシェア側面に一体的に起立状態で備えられていて、前記起立片に取付けられたジョインタに一端部が取付け位置を作業進行方向に前後調整自在に取付けられた構成であることを特徴とするものである。これにより、作業深に応じてジョインタの最適位置の選択ができる。
【００１０】
また、本発明は、フロッグにシェア、モールドボード、ランドサイドなどを取付けて構成したプラウ作業機用ボトムにおいて、起立片の下端部がシェアのシェアポイント部分およびシェア側面に一体的に起立状態で備えられていて、前記起立片はシェアの刃縁を含む水平面に対して垂直で、かつ、作業進行方向を含む垂直面に沿っていて、その前縁は刃縁になって、その高さは耕起能力に対応したものである構成にしたことを特徴とするものである。
【００１１】
また、本発明は、フロッグにシェア、モールドボード、ランドサイドなどを取付けて構成したプラウ作業機用ボトムにおいて、起立片の下端部がシェアのシェアポイント部分およびシェア側面に一体的に起立状態で備えられていて、前記起立片はシェアと刃縁を含む水平面に対して垂直であり、ランドサイド先頭部材と一体的であることを特徴とするものである。
【００１２】
また、本発明は、フロッグにシェア、モールドボード、ランドサイドなどを取付けて構成したプラウ作業機用ボトムにおいて、起立片の下端部がシェアのシェアポイント部分およびシェア側面に一体的に起立状態で備えられていて、前記起立片はシェアの刃縁を含む水平面に対して垂直であり、前記起立片はその下端部が直角に曲げられて形成された取付け部をもち、前記取付け部が前記シェアと前記フロッグに挟まれて取付けられた構成であることを特徴とするものである。
【００１３】
また、本発明は、フロッグにシェア、モールドボード、ランドサイドなどを取付けて構成したプラウ作業機用ボトムにおいて、起立片の下端部がシェアのシェアポイント部分およびシェア側面に一体的に起立状態で備えられていて、前記起立片はこれと直角に曲げられて形成された取付け部をもち、前記取付け部が前記シェアと前記フロッグに挟まれて取付けられているとともに、ランドサイド先頭部材と一体的な構成であることを特徴とするものである。
【００１４】
また、本発明は、フロッグにシェア、モールドボード、ランドサイドなどを取付けて構成したプラウ作業機用ボトムにおいて、前記起立片の下端部がシェアのシェアポイント部分およびシェア側面に一体的に起立状態で備えられているとともに、起立片の後縁にはジョインタの端縁が一体的に形成されている構成であることを特徴とするものである。
【発明の効果】
【００１５】
以上の説明から明らかなように、本発明によれば、ボトムに起立片を設け、この起立片に対して取付け部を介して、アタッチメント部材を取付け、アタッチメント部材をシェア先端部に集約的に取付けて構成したので、アタッチメント機能を合わせ備えるボトムを提供することができる。
【００１６】
また、各アタッチメント部材としてのジョインタは、起立片に対して着脱自在とするとともに、その取付け姿勢を調節選択できるように構成したから、作業現場に合わせたもっとも都合のよい姿勢を選択することができ、これにより、確実、正確な反転作業ができる。
【００１７】
とくに、ディスクコールタや、ジョインタなどの機能を起立片に集約して装備したことにより装備空間を省略することができるのでトラクタに装備した場合の作業機の全長を短縮でき、安定した作業を行うことができる。
【発明を実施するための最良の形態】
【００１８】
以下、本発明の実施の形態について添付した図１ないし、図１６に沿って説明する。これらの図において符号Ｔは作業機を牽引するトラクタ、符号１０はこのトラクタにより牽引されるプラウ作業機（以下、作業機と略称する）を示していて、さらに符号２０は作業機に用いられるボトムを示し、従来型ボトムの共通する部材には２０代の符号、本発明にかかる部材には３０代の符号を付してある。
【００１９】
本発明を構成するボトム２０は従来から知られているフロッグ２１に、モールドボード２２、さらには、ランドサイド２３、モールドボード２２の下縁に沿ってシェア２４が取付けられて構成されている。
そして、前記シェア２４のランドサイド側の側縁に沿い、かつ、作業進行方向に沿って垂直な面に沿って起立片３１が起立形成されていて、この起立片３１の下縁はシェアを含む水平面に沿っていて、シェアに対して直角に曲げられた形状で、一体的に形成されている。
この起立片３１は作業進行方向に沿い比較的薄い板厚形状で、作業進行方に向かって刃縁３１Ｈをもち、耕深方向に高さをもち、その高さはれき溝の深さより高い寸法が与えられている。
【００２０】
また、起立片３１は作業進行方向に沿って前記シェア２４とともに、最前位置にあり、作業としては先頭に機能するものになっている。この構成の詳細は図１、図２、図３（Ａ）、（Ｂ）に示すところである。
【００２１】
また、図４、図５に詳細に示すように、前記実施態様に加えて、起立片３１の下端部の作業進行方向に沿った平面内に存在し、シン部材２５の裏側に存在する前記ランドサイド２３の先頭位置に配置されたランドサイド先頭部材２３Ｓに相当する部材と一体的に形成したものである。
【００２２】
また、図６、図７に詳細に示すように、前記実施態様に加えて、起立片３１の下端部の作業進行方向に沿った平面内に存在し、シン部材２５の裏側に存在する前記ランドサイド２３の先頭位置に配置されたランドサイド先頭部材２３Ｓに相当する部材と一体的にボルト結合したものである。
この場合、起立片３１の下端部はシェア側に直角に曲げられて、取付け片３１Ｔが形成されていて、この取付け片３１Ｔの厚さに対応する窪み型の取付け溝２１Ｍがフロッグ２１のランドサイド側の縁に形成されている。
言い換えると、取付け片３１Ｔを収容できる深さの取付け溝２１Ｍであり、シェア２４の裏側においてフロッグ２１との間に形成される取付け空間２１Ｋに収容されて、シェア２４、取付け片３１Ｈ、フロッグ２１の３者がボルトＸにより結合されている。
【００２３】
さらに、図８、図９には、起立片３１の取付け片３１Ｔがシェア２４の裏側において、フロッグ２１の取付け溝２１Ｍにより形成される取付け空間２１Ｋに前記取付け片３１Ｔが収容されて、シェア２４、起立片３１、フロッグ２１の３者がボルトＸにより一体的に結合されていて、その上に起立片３１の下端部において作業進行方向に後方に向かって延びるランドサイド先頭部材２３Ｓが起立片３１と一体的形成されて、取付けた状態においてはランドサイド２３とも一体化された構成になっている。
【００２４】
また、図１０、図１１に示す実施態様は、以上説明した実施態様に加えて、起立片３１に上端部近くに前犂としてのジョインタ３２がモールドボード２２の反転空間側に張出して取付けられていて、その取付けには起立片３１に形成した取付け部３１Ｋが利用される。
この取付け部３１Ｋは起立片３１の後端縁の高さ方向に沿ってフランジ状に張り出してモールドボード２２の反転空間側に張出して形成したもので、この取付け部３１ＫにボルトＸを用いて取付けてある。
この取付け部３１Ｋに対する取付け位置の変更でジョインタ３２の起立片３１に対する高さ方向の位置を選択することができるようになっている。
【００２５】
さらに、ジョインタ３２の反転側端部にはカバーボード３３がジョインタ３２と同様にボルトＸにより取付けられていて、ボルト孔の選択によりカバーボード３３のジョインタ３２に対する取付け位置を高さ方向、作業幅方向に調節して反転具合の調節を行うことができるようになっている。
【００２６】
これらの調節用に穿ったボルト孔は、そのボルト孔の位置、数により調節領域が予め決められる。
本来のジョインタ３２として機能するために、下端縁には雑草などの根を斜め切断する機能として、刃縁３２Ｈが形成されている。
【００２７】
また、図１２、図１３に示す実施態様は、起立片３１に形成した取付け部３１Ｋに対して前犂としてのジョインタ３２をボルト固定できるようにしたものであり、ジョインタ３２を作業の進行方向に沿って前後調節できるようにしたものである（ジョインタ３２のボルト孔には調整方向に沿った長い孔が使用されている）。これにより、モールドボード２２との間に形成される反転空間の調節が可能になっている。
この場合、起立片３１に対して取付け部３１Ｋを設けたものの他、取付け部３１Ｋを発展させてジョインタとして使用することができる。言い換えると、起立片３１とジョインタ３２とがボルトＸを使用せずに一体的に形成されたものである。
また、前犂であるジョインタなどのれき土と接触する面には土の付着を防止する目的をもって、スチール板あるいは、これに樹脂板を取付けたものを取付けることができる。
さらに、ジョインタ３２の反転側端部にはカバーボード３３がジョインタ３２と同様にボルトＸにより取付けられていて、取付ける際のボルト孔の選択によりカバーボード３３のジョインタ３２に対する取付け位置を高さ方向、作業幅方向に調節して反転具合の調節を行うことができるようになっている。
これらの調節用に穿ったボルト孔は、そのボルト孔の位置、数、形状により調節領域が予め決められる。
また、起立片３１に対してジョインタ３２を取付けた場合、ジョインタ３２の最前縁を起立片３１の刃縁３１Ｈの延長線上に存在する刃縁３２Ｔとすることが望ましい。
【００２８】
次に、本発明による前犂付起立片を備えるボトムを採用した作業機について説明する。
図１６に示されている作業機１０は従来の作業機であって、トラクタＴに作業機１０を装着した場合、ディスクコールタ１と、ジョインタ２を装備するための空間が必要であること従来例の説明で示したところで、この従来の作業機と対比するために、図１６に並べて本発明のボトムを用いた作業機を図１５に示してある。これらの図によれば、本発明による前犂付起立片を備えるボトムを用いた作業機ではコールタ、ジョインタの装着空間は必要なくなり、図１５におけるＫに相当する分だけトラクタＴと作業機１０との全長を短縮することができる。
【００２９】
したがって、作業時における牽引抵抗の合力がトラクタから近い位置になり、とくに、多連型の場合には作業機の長さの短縮が可能になり、この作業機をリフトアップした場合には全体重心がトラクタに近い位置にあることから、牽引抵抗を軽減し、軽量シンプル化を図り、トラクタを含めて転倒などの恐れを払拭して、安定性の向上を図ることができる。
【００３０】
また、ディスクコールタ１の作業高さの調節や、ジョインタ２などの個々の作業高さの調節作業が不要である。
【００３１】
上述の作業機においては、れき土を水平にせん断し、モールドボード２２に供給するシェア２４をもち、シェアから供給されるれき土を反転しながら砕土し、放擲する３次元曲面モールドボードをもち（シン部材を含む）、作業進行に際しては、れき壁に沿って前進し、れき土の反転、放擲で受ける側圧を受け、プラウ作業機の作業姿勢を安定させて、進行方向に対する耕起幅を保持するランドサイドをもつボトムにおいて、シェアはそのポイント位置に摩耗強度の向上を図る起立片３１を備えるので、れき土を垂直にせん断することができる。
とくに、起立片３１に対して、プラウ作業機におけるアタッチメントを構成する前犂としてのジョインタ３２、そのカバーボード３３を取付けるようになっている。
【産業上の利用可能性】
【００３２】
以上の説明では、ボトム単数の作業機について説明をしたが、本発明のボトムは複数のボトムを備える多連型の作業機はもちろんのこと、作業機のフレームの上下に右反転、左反転のボトムを取付けて構成するリバーシブルプラウ作業機として使用することができる。
【図面の簡単な説明】
【００３３】
【図１】本発明のボトムを示す斜視図である。
【図２】同じく、ボトムを示す部分拡大斜視図である。
【図３】同じく、ボトムの各部材の取付け構造を示す斜視図（Ａ）図と、断面図（Ｂ）である。
【図４】本発明に係るボトムの他の実施態様を示す部分拡大斜視図である。
【図５】同じく、ボトムの各部材の取付け構造を示す斜視図（Ａ）と、断面図（Ｂ）である。
【図６】本発明に係るボトムの他の実施態様を示す部分拡大斜視図である。
【図７】同じく、ボトムの各部材の取付け構造を示す斜視図（Ａ）と、断面図（Ｂ）である。
【図８】本発明に係るボトムの他の実施態様を示す部分拡大斜視図である。
【図９】同じく、ボトムの各部材の取付け構造を示す斜視図（Ａ）と、断面図（Ｂ）である。
【図１０】本発明に係るボトムの他の実施態様を示す斜視図である。
【図１１】本発明に係るボトムの他の実施態様を示す正面斜視図である。
【図１２】本発明に係るボトムの他の実施態様を示す斜視図である。
【図１３】本発明に係るボトムの他の実施態様を示す正面斜視図である。
【図１４】図１３の１４−１４に沿った断面図である。
【図１５】本発明ボトムを備える作業機のトラクタへの装着状態を示す説明図である。
【図１６】従来のボトムを備える作業機のトラクタへの装着状態を示す説明図である。
【符号の説明】
【００３４】
１０    作業機
１      ディスクコールタ
２      ジョインタ
３      カバーボード
２０    ボトム
２１    フロッグ
２２    モールドボード
２３    ランドサイド
２３Ｓ  ランドサイド先頭部材
２４    シェア
２５    シン部材
３１    起立片
３１Ｋ  取付け部
３１Ｈ  刃縁
３２    ジョインタ
３２Ｈ  刃縁
３２Ｔ  刃縁
３３    カバーボード
Ｘ      ボルト（あるいはボルト孔）
Ｔ      トラクタ
【図１】
2006042692.tif 000003
【図２】
2006042692.tif 000004
【図３】
2006042692.tif 000005
【図４】
2006042692.tif 000006
【図５】
2006042692.tif 000007
【図６】
2006042692.tif 000008
【図７】
2006042692.tif 000009
【図８】
2006042692.tif 000010
【図９】
2006042692.tif 000011
【図１０】
2006042692.tif 000012
【図１１】
2006042692.tif 000013
【図１２】
2006042692.tif 000014
【図１３】
2006042692.tif 000015
【図１４】
2006042692.tif 000016
【図１５】
2006042692.tif 000017
【図１６】
2006042692.tif 000018